(57)【要約】【課題】ＬＥＤランプ側に落下防止装置を設けてＬＥＤランプが装着される照明器具本体側への施工を不要とすること。また、照明器具本体側のソケットの交換を不要として、現に設けられている一般的なソケットに単にＬＥＤランプを装着するだけでＬＥＤランプの落下を防止すること。【解決手段】口金ピン２２を備えた口金１１と第１の口金コネクタ１２とを嵌合し、さらに第１の口金コネクタ１２と第２の口金コネクタ１４とをスプリング１３を介装させてスライド自在に連結して落下防止装置１０を構成する。落下防止装置１０の嵌合片４２をＬＥＤランプ本体１のケース本体８に嵌合する。ＬＥＤランプ本体１を照明器具本体５１のソケット５２に装着すると、スプリング１３により口金ピン２２がソケット５２側に常時弾発付勢され、ＬＥＤランプ本体１が照明器具本体５１から落下するのを確実に防止することができる。【選択図】図９
2014099308.tif 000002
【特許請求の範囲】
【請求項１】
長尺物の照明器具本体（５１）の両側に設けられているソケット（５２）（５２）間に、光源を発光ダイオードとした直管型のＬＥＤランプ本体（１）を口金ピンを介して装着するようにした照明器具において、
前記ＬＥＤランプ本体（１）の少なくとも一方の端部に、口金ピン（２２）を前記ソケット（５２）側に常時弾発付勢させる弾発体（１３）を有する落下防止装置（１０）を備えていることを特徴とする直管型ＬＥＤランプの落下防止装置。
【請求項２】
前記ＬＥＤランプ本体（１）は、内部に発光ダイオードを実装しているプリント基板（６）を納装している筒状のケース本体（８）と、前記ケース本体（８）の両側に設けられている口金（４）（１１）とで構成されており、
前記落下防止装置（１０）は、
前記口金ピン（２２）を有する第１の口金コネクタ本体（１２ａ）と、前記ケース本体（８）側に接続される第２の口金コネクタ（１４）と、前記第１の口金コネクタ本体（１２ａ）と前記第２の口金コネクタ（１４）との間に介装されて、前記第１の口金コネクタ本体（１２ａ）をソケット（５２）側に付勢する弾発体（１３）としてのスプリング（１３）とで構成されていることを特徴とする請求項１に記載の直管型ＬＥＤランプの落下防止装置。
【請求項３】
前記第２の口金コネクタ（１４）の端部にはストッパ（４６）が形成されており、前記第１の口金コネクタ（１２ａ）には前記ストッパ（４６）を乗り越えて該第２の口金コネクタ（１４）内に位置させる係合突起（３６）を備えており、
前記第１の口金コネクタ（１２ａ）と第２の口金コネクタ（１４）とは軸方向にスライド自在に連結されており、
前記スプリング（１３）によりソケット（５２）側に弾発付勢されている第１の口金コネクタ（１２ａ）は、第２の口金コネクタ（１４）のストッパ（４６）に前記係合突起（３６）が当接して第１の口金コネクタ（１２ａ）と第２の口金コネクタ（１４）との連結状態を維持していることを特徴とする請求項２に記載の直管型ＬＥＤランプの落下防止装置。
【請求項４】
前記第１の口金コネクタ本体（１２ａ）と前記第２の口金コネクタ（１４）とはスライド自在に連結されて略筒状に形成され、
前記第１の口金コネクタ本体（１２ａ）と前記第２の口金コネクタ（１４）との間に介装した前記スプリング（１３）はコイル状のスプリングとしていることを特徴とする請求項２または請求項３に記載の直管型ＬＥＤランプの落下防止装置。
【発明の詳細な説明】
【技術分野】
【０００１】
本発明は、光源を発光ダイオードとした直管型ＬＥＤランプに関するものであり、より詳しくは直管型ＬＥＤランプがソケットより落下するのを防止するようにした直管型ＬＥＤランプの落下防止装置に関するものである。
【背景技術】
【０００２】
直管型の蛍光灯はもちろん、光源を発光ダイオードとした直管型ＬＥＤランプが、照明器具本体のソケットから落下しないようにしたものとしては、照明器具本体から着脱自在に装着した略Ｕ字状の線材からなるホルダーにてランプを保持しているものが従来より提供されている。
【０００３】
しかしながら、上記ホルダーは線材にて直管型のランプを受ける形で保持しているために、該ホルダーがランプの外周面に位置しており、見た目に商品性を損なうという問題がある。
【０００４】
そこで、ランプの外周面にホルダーを用いないものとして、照明器具本体のソケット側にランプが落下するのを防止するものとして、例えば、下記に示す特許文献１が挙げられる。
【先行技術文献】
【特許文献】
【０００５】
【特許文献１】特開２０１２−９３７９号公報
【０００６】
上記特許文献１の図５及び明細書の段落番号「００３２」、「００３３」に示すように、アース端子受け治具が付勢体であるコイル状のスプリングにより口金ソケット側へ付勢されていることで、ＬＥＤランプが落下しないように保持されている。
【発明の概要】
【発明が解決しようとする課題】
【０００７】
しかしながら、この特許文献１では、スプリングを照明器具本体のソケット側内に設けている構造のために以下に示すように問題点を有している。すなわち、現在、節電の観点から蛍光灯から発光ダイオード（ＬＥＤ）を光源としたＬＥＤランプへと急速に交換がなされてきている。
ほとんどの会社、工場、事務所等では、蛍光灯を用いた照明器具であり、その蛍光灯を装着している照明器具本体では、特許文献１のようなソケット側に予めスプリングを配設しているものはほとんど無く、単に蛍光灯の口金ピンを保持すソケットが設けられているのが現状である。
【０００８】
消費電力が少ないＬＥＤランプを蛍光灯から交換する場合に、ＬＥＤランプの落下防止の構造を付与しようとした場合、上記特許文献１では、照明器具本体自体、あるいはソケット自体の交換となり、コスト高になるという問題がある。
つまり、ＬＥＤランプの長手方向の寸法が決まっている場合には、照明器具本体を交換する必要があり、また、落下防止の構造の寸法を考慮してＬＥＤランプの長手方向の寸法を決めている場合には、ソケットを落下防止構造を備えたソケットに交換する必要がある。
【０００９】
このように、蛍光灯からＬＥＤランプへの変更の際に、電源側の工事以外に照明器具本体の交換の施工や、ソケット交換の施工といった本来の施工以外の余分な施工が伴い、煩雑な施工を伴うと共に、余分な施工により工事費がアップするという問題が生じる。
【００１０】
本発明は上述の問題点に鑑みて提供したものであって、少なくとも以下の目的を持った直管型ＬＥＤランプの落下防止装置を提供するものである。
（１）ＬＥＤランプの落下を防止する場合に、ＬＥＤランプ側に落下防止装置を設けてＬＥＤランプが装着される照明器具本体側への施工を不要とすること。
（２）照明器具本体側のソケットの交換を不要として、現に設けられている一般的なソケットに単にＬＥＤランプを装着するだけでＬＥＤランプの落下を防止すること。
【課題を解決するための手段】
【００１１】
そこで、本発明の請求項１に記載の直管型ＬＥＤランプの落下防止装置では、長尺物の照明器具本体５１の両側に設けられているソケット５２、５２間に、光源を発光ダイオードとした直管型のＬＥＤランプ本体１を口金ピンを介して装着するようにした照明器具において、
前記ＬＥＤランプ本体１の少なくとも一方の端部に、口金ピン２２を前記ソケット５２側に常時弾発付勢させる弾発体１３を有する落下防止装置１０を備えていることを特徴としている。
【００１２】
請求項２に記載の直管型ＬＥＤランプの落下防止装置では、前記ＬＥＤランプ本体１は、内部に発光ダイオードを実装しているプリント基板６を納装している筒状のケース本体８と、前記ケース本体８の両側に設けられている口金４、１１とで構成されており、
前記落下防止装置１０は、
前記口金ピン２２を有する第１の口金コネクタ本体１２ａと、前記ケース本体８側に接続される第２の口金コネクタ１４と、前記第１の口金コネクタ本体１２ａと前記第２の口金コネクタ１４との間に介装されて、前記第１の口金コネクタ本体１２ａをソケット５２側に付勢する弾発体１３としてのスプリング１３とで構成されていることを特徴としている。
【００１３】
請求項３に記載の直管型ＬＥＤランプの落下防止装置では、前記第２の口金コネクタ１４の端部にはストッパ４６が形成されており、前記第１の口金コネクタ１２ａには前記ストッパ４６を乗り越えて該第２の口金コネクタ１４内に位置させる係合突起３６を備えており、
前記第１の口金コネクタ１２ａと第２の口金コネクタ１４とは軸方向にスライド自在に連結されており、
前記スプリング１３によりソケット５２側に弾発付勢されている第１の口金コネクタ１２ａは、第２の口金コネクタ１４のストッパ４６に前記係合突起３６が当接して第１の口金コネクタ１２ａと第２の口金コネクタ１４との連結状態を維持していることを特徴としている。
【００１４】
請求項４に記載の直管型ＬＥＤランプの落下防止装置では、前記第１の口金コネクタ本体１２ａと前記第２の口金コネクタ１４とはスライド自在に連結されて略筒状に形成され、
前記第１の口金コネクタ本体１２ａと前記第２の口金コネクタ１４との間に介装した前記スプリング１３はコイル状のスプリングとしていることを特徴としている。
【発明の効果】
【００１５】
本発明の請求項１に記載の直管型ＬＥＤランプの落下防止装置によれば、ＬＥＤランプ本体１の少なくとも一方の端部に、口金ピン２２を前記ソケット５２側に常時弾発付勢させる弾発体１３を有する落下防止装置１０を備えていることで、照明器具本体５１側への落下防止装置を施工する必要がなく、そのため、余分な施工費用の発生を防止することができる。また、既に施工されている照明器具本体５１のソケット５２をそのまま使用することができ、しかも、落下防止装置１０をＬＥＤランプ本体１側に設けているので、照明器具本体５１にＬＥＤランプ本体１を単に装着するだけで、ＬＥＤランプ本体１の落下を確実に防止することができる。
【００１６】
請求項２に記載の直管型ＬＥＤランプの落下防止装置によれば、落下防止装置１０を、前記口金ピン２２を有する第１の口金コネクタ本体１２ａと、前記ケース本体８側に接続される第２の口金コネクタ１４と、前記第１の口金コネクタ本体１２ａと前記第２の口金コネクタ１４との間に介装されて、前記第１の口金コネクタ本体１２ａをソケット５２側に付勢する弾発体１３としてのスプリング１３とで構成していることで、少ない部材で落下防止装置１０を構成することができる。
【００１７】
請求項３に記載の直管型ＬＥＤランプの落下防止装置によれば、前記第２の口金コネクタ１４の端部にはストッパ４６が形成されており、前記第１の口金コネクタ１２ａには前記ストッパ４６を乗り越えて該第２の口金コネクタ１４内に位置させる係合突起３６を備えており、前記第１の口金コネクタ１２ａと第２の口金コネクタ１４とは軸方向にスライド自在に連結されており、前記スプリング１３によりソケット５２側に弾発付勢されている第１の口金コネクタ１２ａは、第２の口金コネクタ１４のストッパ４６に前記係合突起３６が当接して第１の口金コネクタ１２ａと第２の口金コネクタ１４との連結状態を維持しているものであり、そのため、第１の口金コネクタ１２ａの係合片３５の係合突起３６を、第２の口金コネクタ１４のストッパ４６を乗り越えさせるだけで、第１の口金コネクタ１２ａと第２の口金コネクタ１４を簡単に軸方向にスライド自在に連結することができる。また、第１の口金コネクタ１２ａがスプリング１３により外方へ付勢されていても、第１の口金コネクタ１２ａの係合突起３６と第２の口金コネクタ１４のストッパ４６とが当接して、第１の口金コネクタ１２ａが第２の口金コネクタ１４から脱落するのを防止することができる。
【００１８】
請求項４に記載の直管型ＬＥＤランプの落下防止装置によれば、第１の口金コネクタ本体１２ａと前記第２の口金コネクタ１４とはスライド自在に連結されて略筒状に形成され、前記第１の口金コネクタ本体１２ａと前記第２の口金コネクタ１４との間に介装した前記スプリング１３はコイル状のスプリングとしているものであり、このスプリング１３をコイル状としていることで、照明器具本体５１のソケット５２側への弾発力を確実にすることができ、照明器具本体５１からＬＥＤランプ本体１が落下するのを確実に防止することができる。
【図面の簡単な説明】
【００１９】
【図１】（ａ）〜（ｃ）は本発明の第１の実施の形態における落下防止装置を備えたＬＥＤランプ本体の底面図、正面図及び側面図である。
【図２】本発明の第１の実施の形態における落下防止装置の分解正面図である。
【図３】（ａ）〜（ｃ）は本発明の第１の実施の形態における口金の正面図、左側面図及び右側面図である。
【図４】（ａ）〜（ｅ）は本発明の第１の実施の形態における第１の口金コネクタの平面図、正面図、底面図、側面図及び（ａ）のＡ−Ａ断面図である。
【図５】（ａ）（ｂ）は本発明の第１の実施の形態におけるスプリングの正面図及び側面図である。
【図６】（ａ）〜（ｄ）は本発明の第１の実施の形態における第２の口金コネクタの平面図、正面図、底面図及び（ａ）のＢ−Ｂ断面図である。
【図７】本発明の第１の実施の形態における落下防止装置を組み立てる場合の説明図である。
【図８】（ａ）（ｂ）は本発明の第１の実施の形態における口金と第１の口金コネクタを嵌合した場合の正面図及び側面図である。
【図９】本発明の第１の実施の形態における落下防止装置を組み立てる場合の説明図である。
【図１０】（ａ）（ｂ）は本発明の第１の実施の形態における説明図である。
【図１１】（ａ）（ｂ）は本発明の第１の実施の形態における説明図である。
【図１２】（ａ）（ｂ）は本発明の第１の実施の形態におけるスプリングを入れた場合の動作説明図である。
【図１３】（ａ）（ｂ）は本発明の第１の実施の形態における照明器具本体にＬＥＤランプ本体を装着する場合の動作説明図である。
【図１４】本発明の第１の実施の形態におけるソケットの正面図である。
【図１５】本発明の第１の実施の形態における他の形状のソケットの正面図である。
【図１６】（ａ）〜（ｄ）は本発明の第２の実施の形態における第１の口金コネクタの平面図、正面図、底面図及び（ａ）のＡ−Ａ断面図である。
【図１７】（ａ）〜（ｅ）は本発明の第２の実施の形態における第２の口金コネクタの平面図、正面図、底面図、（ａ）のＡ−Ａ断面図及び（ｃ）のＢ−Ｂ断面図である。
【図１８】本発明の第２の実施の形態における落下防止装置の分解図である。
【図１９】（ａ）（ｂ）は本発明の第２の実施の形態におけるそれぞれ落下防止装置の断面図である。
【図２０】（ａ）（ｂ）は本発明の第２の実施の形態におけるそれぞれ落下防止装置の側面図である。
【図２１】（ａ）〜（ｃ）は本発明の第２の実施の形態における落下防止装置の右側面図、正面図及び左側面図である。
【図２２】本発明の実施の形態におけるスプリングの他の例を示す図である。
【図２３】本発明の実施の形態におけるスプリングのさらに他の例を示す図である。
【発明を実施するための形態】
【００２０】
（第１の実施の形態）
以下、本発明の第１の実施の形態を図面を参照して詳細に説明する。図１は本発明のＬＥＤランプ本体１を示し、図１（ａ）はＬＥＤランプ本体１の底面図を、図１（ｂ）はＬＥＤランプ本体１の正面図を、図１（ｃ）はＬＥＤランプ本体１の側面図をそれぞれ示している。
【００２１】
ＬＥＤランプ本体１は、従来の直管型の蛍光灯から変更するようにしたものであって、従来の蛍光灯の長手方向の寸法と略同程度としている。また、ＬＥＤランプ本体１の長手方向の長さは、ワット数の大小に応じて幾種類かの長さが異なるＬＥＤランプ本体１が存在する。
このＬＥＤランプ本体１は、ベース２と、このベース２の下面の開口面側に装着されるカバー３とで外殻を構成している。このベース２とカバー３とでケース本体８を構成している。
【００２２】
ＬＥＤランプ本体１のベース２は、断面を略円弧状とした長尺ものであり、材料は例えばアルミ材、マグネシウムなどにて構成されている。カバー３は、断面を略円弧状とした長尺ものであり、材料は合成樹脂製で、乳白色の透光性としている。また、カバー３は透明の合成樹脂製やガラス製でも良い。
ＬＥＤランプ本体１の一端側（図１（ａ）（ｂ）では右側）には、口金４が設けられていて、この口金４には一対の口金ピン５が設けられている。この一対の口金ピン５に点灯用電源が接続されるようになっている。
【００２３】
ベース２には多数の発光ダイオードを該ベース２の長手方向に列設したプリント基板６と、発光ダイオードを駆動点灯するための電源回路７とが配設されている。
【００２４】
ＬＥＤランプ本体１の他端側（図１（ａ）（ｂ）の左側）には、本発明の要旨であるＬＥＤランプ本体１が落下するのを防止するための落下防止装置１０が設けられている。この落下防止装置１０の全体の外形状は、口金４とほぼ同じような形状としており、ＬＥＤランプ本体１を見た場合に使用者に違和感を与えないようにしている。
上記落下防止装置１０は、図１及び図２に示すように、口金１１と、第１の口金コネクタ１２と、コイル状のスプリング１３と、第２の口金コネクタ１４とで構成されている。なお、後述するが、口金１１と第１の口金コネクタ１２とを一体に構成した場合、第１の口金コネクタ本体１２ａと称する。
【００２５】
落下防止装置１０の口金１１は、金属製で略円筒状に形成されており、図３に示すように、一面が開口し、他面が閉塞された形状となっている。他面側の底部２０には絶縁材からなる円形の支持部２１が一対設けられている。そして、この支持部２１の中心部分に金属製の口金ピン２２が立設されている。この一対の口金ピン２２が照明器具本体のソケットのピン孔に挿入されるものである。
【００２６】
図４は落下防止装置１０を構成している第１の口金コネクタ１２を示しており、この第１の口金コネクタ１２は合成樹脂製としている。図４（ａ）は第１の口金コネクタ１２の平面図を、図４（ｂ）は第１の口金コネクタ１２の正面図を、図４（ｃ）は第１の口金コネクタ１２の底面図を、図４（ｄ）は第１の口金コネクタ１２の側面図を、図４（ｂ）は、図４（ａ）のＡ−Ａ断面図をそれぞれ示している。
【００２７】
第１の口金コネクタ１２の外殻を構成しているボディ３０は略円筒状に形成されており、中央部分には隔壁３１が一体に形成されている。ボディ３０の隔壁３１の上面には円筒状の突リブ３２が３つ一体に突設されていて、この３つの突リブ３２はボディ３０の周方向であってボディ３０の中心から１２０度の間隔で配設されている。この突リブ３２の外周面に上記スプリング１３の下部の内面が圧入ないし接触する状態で該スプリング１３が突リブ３２にそれぞれ嵌合装着される。
【００２８】
また、ボディ３０の上部の筒体３３には上下方向に２条のスリット３４が切り込まれていて、この２条のスリット３４の間で係合片３５を該筒体３３と一体に３カ所に形成している。この係合片３５は可撓性を有しており、上部には略三角形状の係合突起３６が一体に形成されている。
また、ボディ３０の筒体３３の外面には、前記第２の口金コネクタ１４との嵌合の際の位置決め用のリブ３７が一体に突設されており、このリブ３７は略長方形状に形成されている。ボディ３０の隔壁３１の下面からは、略円弧状の嵌合片３８が一体に２つ形成されている。なお、２つの嵌合片３８にて略円形の形状となり、両嵌合片３８、３８の外径を上記口金１１の内径より若干大きくしている。
【００２９】
図５は圧縮バネ型でコイル状のスプリング１３を示し、図５（ａ）はスプリング１３の正面図を、図５（ｂ）はスプリング１３の側面図をそれぞれ示している。本発明ではスプリング１３を３つ用いている。
【００３０】
図６は第２の口金コネクタ１４を示しており、図６（ａ）は第２の口金コネクタ１４の平面図を、図６（ｂ）は第２の口金コネクタ１４の正面図を、図６（ｃ）は第２の口金コネクタ１４の底面図を、図６（ｄ）は、図６（ａ）のＢ−Ｂ断面図をそれぞれ示している。
【００３１】
第２の口金コネクタ１４の外殻を構成しているボディ４０は略円筒状に形成されており、該ボディ４０の上部側には隔壁４１が一体に形成されている。ボディ４０の隔壁４１の上面の外周側には略円弧状の嵌合片４２が２つ該隔壁４１より一体に突設されている。
また、ボディ４０の隔壁４１の天井面には略三角形状のボス４３が一体に垂設されており、このボス４３に下面を開口したボス穴４４が３つ凹設されている。このボス穴４４に上記スプリング１３の端部が挿入されて該スプリング１３が位置決めされる。
【００３２】
さらに、隔壁４１より下方のボディ４０の内周面には下面を開口した溝４５が凹設されていて、この溝４５が前記第１の口金コネクタ１２のリブ３７が挿入されるようになっている。
また、ボディ４０の内周面には下部に爪状のストッパ４６を設けた係合溝４７が３カ所に凹設されている。この係合溝４７は第１の口金コネクタ１２の係合片３５がスライド自在に挿入される溝である。
【００３３】
次に、落下防止装置１０の組み立てについて説明する。先ず、図７に示すように第１の口金コネクタ１２の嵌合片３８を口金１１の内部に圧入していき、嵌合片３８を口金１１の内部まで完全に圧入する。これにより、第１の口金コネクタ１２に口金１１が固定される。この状態を図８に示す。なお、図８は第１の口金コネクタ１２に口金１１を固定した場合の正面図を示し、図８（ｂ）は側面図を示している。
【００３４】
次に、図７に示すように、３本のスプリング１３を第１の口金コネクタ１２の突リブ３２にそれぞれ嵌め込む。そして、図９に示すように、第１の口金コネクタ１２に第２の口金コネクタ１４を嵌合する。
すなわち、第１の口金コネクタ１２のリブ３７を第２の口金コネクタ１４の溝４５の位置に合わせる。このリブ３７を溝４５に合わせると、第１の口金コネクタ１２の３つの係合片３５の位置と、第２の口金コネクタ１４の３つの係合溝４７との位置とがそれぞれ対応した位置となる。
【００３５】
そして、そのまま第２の口金コネクタ１４を第１の口金コネクタ１２側へスプリング１３の弾発力に抗して押していくと、第１の口金コネクタ１２の係合片３５の係合突起３６が第２の口金コネクタ１４の係合溝４７のストッパ４６を乗り越えていく。係合片３５は可撓性を有しているので、係合片３５は内側に撓んで係合突起３６が係合溝４７のストッパ４６を乗り越えるのである。
係合突起３６がストッパ４６を乗り越えると、係合片３５が係合溝４７内にスライド自在に挿入されることになる。このように、第１の口金コネクタ１２の係合片３５の係合突起３６を、第２の口金コネクタ１４のストッパ４６を乗り越えさせるだけで、第１の口金コネクタ１２と第２の口金コネクタ１４を簡単に軸方向にスライド自在に連結することができる。
【００３６】
図１０（ａ）及び図１１（ａ）は係合片３５の先端の係合突起３６がストッパ４６を乗り越えた際の状態を示し、図１０（ａ）は要部正面図を示し、図１１（ａ）は断面図を示している。なお、図１１ではスプリング１３は図示省略している。図１１（ａ）に示すように、この状態では、第１の口金コネクタ１２と第２の口金コネクタ１４とは互いに軸方向にスライド自在に連結ないし接続されている。
図１０（ｂ）及び図１１（ｂ）は、第１の口金コネクタ１２を第２の口金コネクタ１４側に押し込んだ状態を示し、第１の口金コネクタ１２の係合片３５は第２の口金コネクタ１４の係合溝４７内に隔壁４１の部分まで接触ないし近接する状態まで押し込むことができる。
【００３７】
図１２はスプリング１３を図示した場合を示し、スプリング１３の復帰力により第１の口金コネクタ１２は外方（図１２では左方）へ常時弾発付勢されている状態となる。この場合、第１の口金コネクタ１２がスプリング１３により外方へ付勢されていても、図１２（ａ）に示すように、第１の口金コネクタ１２の係合突起３６と第２の口金コネクタ１４のストッパ４６とが当接して、第１の口金コネクタ１２が第２の口金コネクタ１４から脱落するのを防止することができる。
なお、図１２（ｂ）はスプリング１３の弾発力に抗して第１の口金コネクタ１２を第２の口金コネクタ１４側に押し込んだ状態を示している。
【００３８】
このようにして、組み立てた落下防止装置１０をケース本体８に装着する。すなわち、第２の口金コネクタ１４の嵌合片４２を、ベース２とカバー３とで構成されるケース本体８内に圧入嵌合することで、ケース本体８に落下防止装置１０が装着されて、ＬＥＤランプ本体１が形成される。
なお、第２の口金コネクタ１４の２つの嵌合片４２で略円形が形成されるが、この円形部分の外径を、ケース本体８の内径より若干大きくしていることで、嵌合片４２をケース本体８内に圧入固定することができる。
【００３９】
このようにして形成される状態のＬＥＤランプ本体１が図１に示す状態であり、落下防止装置１０側における図中の矢印は、第１の口金コネクタ１２及び口金１１が第２の口金コネクタ１４に対して外方へ付勢されている状態を示すものである。
【００４０】
図１３（ａ）に示すように、天井面には照明器具本体５１が施工されており、両側には通常のソケット５２が設けられている。右側のソケットには点灯用電源が接続され、左側のソケット５２には点灯用電源は接続されていない。ＬＥＤランプ本体１の右側の口金４の口金ピン５に右側のソケット５２により点灯用電源が供給されるようになっている。
また、ＬＥＤランプ本体１の左側の口金ピン２２は所謂ダミーとなっており、点灯用電源は供給されない。
【００４１】
図１４はソケット５２の正面図を示しており、ＬＥＤランプ本体１の口金ピン５、２２が挿入される両側のピン孔５３内には、口金ピン５、２２が接触する導電性の接触子５４が設けられている。
また、図１５に示すようなソケット５２の場合もあり、円形の受け部５６の両側にピン孔５３が穿設されている。
【００４２】
落下防止装置１０の口金ピン２２を照明器具本体５１の左側のソケット５２のピン孔５３に挿入していき、さらに、ＬＥＤランプ本体１を左方へ押し込んでいくと、この押し込み力により図１２（ｂ）に示すように、落下防止装置１０内のスプリング１３が圧縮されていって第２の口金コネクタ１４が第１の口金コネクタ１２側にスライドすることで、ＬＥＤランプ本体１全体の長手方向の長さが縮まる。これにより照明器具本体５１のソケット５２間にＬＥＤランプ本体１を納めることができる。
【００４３】
次に、図１３に示すように、ＬＥＤランプ本体１の右側の口金ピン５を右側のソケット５２に挿入する。これにより、図１３（ｂ）に示すように、ＬＥＤランプ本体１を照明器具本体５１に装着することができる。
この状態において、図１２（ａ）に示すように、落下防止装置１０内においては、口金１１及び第１の口金コネクタ１２はスプリング１３の復帰力により常に外方、つまりソケット５２側に付勢されている。そのため、ＬＥＤランプ本体１の口金１１の口金ピン２２がソケット５２のピン孔５３から脱落することはなく、ＬＥＤランプ本体１が照明器具本体５１から落下するのを確実に防止することができる。
【００４４】
なお、図１２に示すように、落下防止装置１０での第２の口金コネクタ１４を第１の口金コネクタ１２側に押し込み可能な寸法（稼働量）として、例えば、１０ｍｍ程度としている。しかし、ＬＥＤランプ本体１が照明器具本体５１から落下しないように適宜な稼働量を設定可能なのは言うまでもない。
【００４５】
このように本実施形態では、ＬＥＤランプ本体１側に該ＬＥＤランプ本体１の落下を防止する落下防止装置１０を備えているので、照明器具本体５１側への落下防止装置を施工する必要がなく、そのため、余分な施工費用の発生を防止することができる。
また、既に施工されている照明器具本体５１のソケット５２をそのまま使用することができ、しかも、落下防止装置１０をＬＥＤランプ本体１側に設けているので、照明器具本体５１にＬＥＤランプ本体１を単に装着するだけで、ＬＥＤランプ本体１の落下を確実に防止することができる。
【００４６】
（第２の実施の形態）
次に第２の実施の形態について説明する。本実施形態では、第１の口金コネクタ１２と第２の口金コネクタ１４の構造を上記実施形態と比べて少し異ならせたものであり、機能が同じ箇所には同じ番号を付して詳細な説明は省略する。
【００４７】
図１６は第１の口金コネクタ１２を示し、図１６（ａ）は第１の口金コネクタ１２の平面図を、図１６（ｂ）は第１の口金コネクタ１２の正面図を、図１６（ｃ）は第１の口金コネクタ１２の底面図を、図１６（ｄ）は、図１６（ａ）のＡ−Ａ断面図をそれぞれ示している。
【００４８】
第１の口金コネクタ１２のボディ３０の隔壁３１の上面には、上記実施形態と同様に３つの突リブ３２が一体に立設されており、この突リブ３２の高さは、ボディ３０の上縁より少し突出している。また、ボディ３０の隔壁３１より上側の部分の１カ所には上下方向に隙間６０が形成されており、この隙間６０により合成樹脂製のボディ３０の上側は径方向に撓み可能としている。
そして、ボディ３０の上縁には径方向の外側に突出する形で係合突起３６が該ボディ３０の周方向の略全長にわたって一体に形成されている。
【００４９】
また、第１の口金コネクタ１２のボディ３０の下部は、略円筒状の嵌合片３８が一体に形成されていて、この嵌合片３８の外径を、口金１１の内径より若干大きくしている。そして、口金１１内に第１の口金コネクタ１２の嵌合片３８を圧入することで、口金１１と第１の口金コネクタ１２とが固定される。
【００５０】
図１７は第２の口金コネクタ１４を示し、図１７（ａ）は第２の口金コネクタ１４の平面図を、図１７（ｂ）は第２の口金コネクタ１４の正面図を、図１７（ｃ）は第２の口金コネクタ１４の底面図を、図１７（ｄ）は、図１７（ａ）のＡ−Ａ断面図を、図１７（ｅ）は、図１７（ｃ）のＢ−Ｂ断面図をそれぞれ示している。
【００５１】
本実施形態の第２の口金コネクタ１４は、先の実施形態とほぼ同じであるが、第１の口金コネクタ１２の係合突起３６に対応してストッパ４６をボディ４０の下縁の一部を除いて略全周にわたって一体に形成している。
【００５２】
図１８は本実施形態における落下防止装置１０の分解図を示している。落下防止装置１０の組み立ては先の実施形態と同じであり、上述したように口金１１と第１の口金コネクタ１２とを嵌合する。そして、第１の口金コネクタ１２の突リブ３２にスプリング１３を装着し、第１の口金コネクタ１２と第２の口金コネクタ１４とを嵌合する。
【００５３】
すなわち、第１の口金コネクタ１２を第２の口金コネクタ１４内にスプリング１３の弾発力に抗して嵌め込んでいくと、図１９（ａ）に示すように、第１の口金コネクタ１２の係合突起３６が第２の口金コネクタ１４のストッパ４６に当接して、係合突起３６が内側に撓むことで、係合突起３６がストッパ４６を乗り越え、これにより、第１の口金コネクタ１２と第２の口金コネクタ１４とが軸方向にスライド自在に簡単に連結させることができる。また、スプリング１３の弾発力により第１の口金コネクタ１２の外側に付勢されても、係合突起３６がストッパ４６に当接して、第１の口金コネクタ１２が第２の口金コネクタ１４から外れるのを防止することができる。
図１９（ｂ）は第１の口金コネクタ１２を第２の口金コネクタ１４内に押し込んだ状態を示している。
【００５４】
そして、図２０に示すように、第２の口金コネクタ１４の嵌合片４２をケース本体８内に圧入することで、ケース本体８に落下防止装置１０を嵌合されて、ＬＥＤランプ本体１が形成されることになる。
【００５５】
なお、図２１は、落下防止装置１０を示し、図２１（ａ）は落下防止装置１０の右側面図を、図２１（ｂ）は落下防止装置１０の正面図を、図２１（ｃ）は落下防止装置１０の左側面図をそれぞれ示している。
【００５６】
本実施形態においても、スプリング１３により第１の口金コネクタ１２及び口金１１を常時外側に弾発付勢しているので、先の実施形態と同様に照明器具本体５１のソケット５２に装着しても、照明器具本体５１からＬＥＤランプ本体１が脱落することはないものである。
また、係合突起３６とストッパ４６は一部を除いて略全周にわたって形成されているので、第１の口金コネクタ１２と第２の口金コネクタ１４とは容易に外れることはない。
【００５７】
先の実施形態では、第１の口金コネクタ１２と第２の口金コネクタ１４とを軸方向にスライド自在に連結する手段として、第１の口金コネクタ１２では３つの係合片３５を形成し、第２の口金コネクタ１４では前記係合片３５に対応した３条の溝４５を形成していたので、構造が複雑となっていた。
しかし、本実施形態では、第１の口金コネクタ１２と第２の口金コネクタ１４を連結する手段として、第１の口金コネクタ１２では略周方向に設けた係合突起３６とし、第２の口金コネクタ１４では、略周方向に設けたストッパ４６としているので、構造を簡素化でき、製造コストを安価にでき、また、第１の口金コネクタ１２と第２の口金コネクタ１４とを簡単にスライド自在に連結することができる。
【００５８】
ところで、各実施形態において、落下防止装置１０ではスプリング１３を３本使用していたが、特に３本に限定されるものではなく、１本、２本、４本等でも良い。しかし、スプリング１３を３本用いて第１の口金コネクタ１２及び第２の口金コネクタ１４の中心から均等に１２０度の間隔で配置していることで、３点支持となって第１の口金コネクタ１２と第２の口金コネクタ１４との間での軸方向に対するズレを防止することができる。
【００５９】
また、落下防止装置１０を、口金１１と第１の口金コネクタ１２と、あるいは口金１１と第１の口金コネクタ１２を一体的にした第１の口金コネクタ本体１２ａと、ケース本体８側に接続される第２の口金コネクタ１４と、弾発体１３としてのスプリング１３とで構成していることで、少ない部材で落下防止装置１０を構成することができる。
【００６０】
また、第１の口金コネクタ１２と第２の口金コネクタ１４との間に介装しているスプリング１３をコイル状としていることで、照明器具本体５１のソケット５２側への弾発力を確実にすることができ、照明器具本体５１からＬＥＤランプ本体１が落下するのを確実に防止することができる。
【００６１】
また、バネ体としてコイル状のスプリング１３を用いていたが、コイル状のスプリングに限られるものではない。例えば、図２２に示すように、平板状のバネ体を略Ｕ字状としたスプリング１３でも良い。また、図２３に示すように、平板状のバネ体を略Ｚ字型にしたスプリング１３を用いても良い。
【００６２】
なお、本実施形態では、落下防止装置１０をＬＥＤランプ本体１の一方側だけに設けた場合について説明したが、ＬＥＤランプ本体１の両側に落下防止装置１０を設けるようにしても良いものである。
【００６３】
また、上記の実施形態では、第１の口金コネクタ１２に口金１１を嵌合した２つの部材で構成していたが、第１の口金コネクタ１２の嵌合片３８を設けずに、第１の口金コネクタ１２の隔壁３１の下面に一対の口金ピン２２を設けるようにしても良い。かかる場合、口金１１と第１の口金コネクタ１２とで１つの部材としての口金ピン２２を備えた第１の口金コネクタ本体１２ａと称する。
これにより、１つの部材にて構成でき、コストダウンを図ることができると共に、落下防止装置１０の組み立て作業性を向上させることができる。
【符号の説明】
【００６４】
１  ＬＥＤランプ本体
２  ベース
３  カバー
４  口金
５  口金ピン
６  プリント基板
８  ケース本体
１０  落下防止装置
１１  口金
１２  第１の口金コネクタ
１２ａ  第１の口金コネクタ本体
１３  スプリング
１４  第２の口金コネクタ
２２  口金ピン
３５  係合片
３６  係合突起
３７  リブ
３８  嵌合片
４２  嵌合片
４４  ボス穴
４６  ストッパ
４７  係合溝
５１  照明器具本体
５２  ソケット
【図１】
2014099308.tif 000003
【図２】
2014099308.tif 000004
【図３】
2014099308.tif 000005
【図４】
2014099308.tif 000006
【図５】
2014099308.tif 000007
【図６】
2014099308.tif 000008
【図７】
2014099308.tif 000009
【図８】
2014099308.tif 000010
【図９】
2014099308.tif 000011
【図１０】
2014099308.tif 000012
【図１１】
2014099308.tif 000013
【図１２】
2014099308.tif 000014
【図１３】
2014099308.tif 000015
【図１４】
2014099308.tif 000016
【図１５】
2014099308.tif 000017
【図１６】
2014099308.tif 000018
【図１７】
2014099308.tif 000019
【図１８】
2014099308.tif 000020
【図１９】
2014099308.tif 000021
【図２０】
2014099308.tif 000022
【図２１】
2014099308.tif 000023
【図２２】
2014099308.tif 000024
【図２３】
2014099308.tif 000025